(57)【要約】【課題】ポケットティッシュを使い易く収容できる容器を提供する。【解決手段】容器１は、ポケットティッシュ袋などの内容物を収容する内容物収容空間を有する本体箱部１０と、本体箱部１０に形成された開口部１１を遮蔽可能な蓋箱部２０と備え、蓋箱部２０は、ひとつのポケットティッシュ袋を収容可能なポケットティッシュ収容空間を有し、当該蓋箱部２０の上面部には前記ポケットティッシュ袋からティッシュを取り出すためのティッシュ取り出し口部２２が形成され、本体箱部１０の下端部には、内容物収容空間と連通する内容物取り出し口部１２が形成されてなる。【選択図】図１
0003223599.tif 000002
【実用新案登録請求の範囲】
【請求項１】
内容物を収容する内容物収容空間を有し、前記内容物収容空間内に前記内容物を投入可能な開口部が上端部に形成された本体箱部と、
前記本体箱部の前記開口部を遮蔽可能な蓋箱部と
備え、
前記蓋箱部は、袋体内に複数枚のティッシュが封入されているポケットティッシュ袋を収容可能なポケットティッシュ収容空間を有し、当該蓋箱部の上面部には前記ポケットティッシュ袋からティッシュを取り出すためのティッシュ取り出し口部が形成されてなり、
前記本体箱部における前記開口部より下側の側壁部には、前記内容物収容空間と外部とを連通する内容物取り出し口部が形成されてなる
ことを特徴とする容器。
【請求項２】
前記内容物収容空間には、前記ポケットティッシュ収容空間に収容可能なポケットティッシュ袋が積層状に複数収容可能である
請求項１に記載の容器。
【考案の詳細な説明】
【技術分野】
【０００１】
本考案は、ポケットティッシュ袋を収容可能な容器に関する。
【背景技術】
【０００２】
従来、例えば特許文献１に開示されているような、内部にポケットティッシュを複数個平積みできる収容部を有するティッシュペーパー容器が知られている。
【先行技術文献】
【特許文献】
【０００３】
【特許文献１】特開２０００−２９６８８９号公報
【考案の概要】
【考案が解決しようとする課題】
【０００４】
しかしながら、特許文献１のティッシュペーパー容器にあっては単なるポケットティッシュの収容箱という機能しかなく、収容されたポケットティッシュ内のティッシュを使用する際にはポケットティッシュを袋ごと外に取り出さねばならなかった。
【０００５】
そこで、本考案は、ポケットティッシュを使い易く収容できる容器を提供することを目的とする。
【課題を解決するための手段】
【０００６】
本考案は、内容物を収容する内容物収容空間を有し、前記内容物収容空間内に前記内容物を投入可能な開口部が上端部に形成された本体箱部と、前記本体箱部の前記開口部を遮蔽可能な蓋箱部と備え、前記蓋箱部は、袋体内に複数枚のティッシュが封入されているポケットティッシュ袋を収容可能なポケットティッシュ収容空間を有し、当該蓋箱部の上面部には前記ポケットティッシュ袋からティッシュを取り出すためのティッシュ取り出し口部が形成されてなり、前記本体箱部における前記開口部より下側の側壁部には、前記内容物収容空間と外部とを連通する内容物取り出し口部が形成されてなることを特徴とする容器である。
【０００７】
かかる構成にあっては、前記ポケットティッシュ収容空間にポケットティッシュを収容しながら前記ティッシュ取り出し口部からティッシュを取り出して使用でき、ポケットティッシュ袋ごと外に出す必要がなくなる。更に、前記内容物収容空間に様々な内容物を収容することができる。
【０００８】
ここで、ポケットティッシュ袋は、例えば街頭等で配布される携帯用のティッシュのことであって、例えば透明な袋体と、この袋体内に封入されたティッシュとで構成されている。
【０００９】
また、前記内容物収容空間には、前記ポケットティッシュ収容空間に収容可能なポケットティッシュ袋が積層状に複数収容可能である構成が提案される。
【００１０】
かかる構成とすることにより、例えば前記容器をノベルティとして事前に配布し、営業活動の一環として前記ポケットティッシュ収容空間に収容可能なポケットティッシュ袋を配ることで、顧客の訪問機会を増やすことができる。
【考案の効果】
【００１１】
本考案にかかる紙製容器は、ポケットティッシュ袋を使い易く収容することができる効果がある。
【図面の簡単な説明】
【００１２】
【図１】実施例にかかる容器の開口部を蓋箱部で遮蔽した状態を示す斜視図である。
【図２】実施例にかかる容器の開口部を開放した状態を示す斜視図である。
【図３】実施例にかかる容器の使用態様を説明する縦断面図である。
【考案を実施するための形態】
【００１３】
以下に本考案を具体化した実施例を詳細に説明する。なお、本考案は、下記に示す実施例に限定されることはなく、適宜、設計変更が可能である。
【００１４】
容器１は、図１〜図３に示すように、直方体箱形状で内部に内容物収容空間Ｓ１を有した紙製の本体箱部１０を備えている。また、本体箱部１０の上端部には、内容物収容空間Ｓ１と連通可能で当該内容物収容空間Ｓ１内に内容物を投入可能な開口部１１が形成されている。
【００１５】
また、本体箱部１０における開口部１１より下側の側壁部には、内容物収容空間Ｓ１と外部とを連通する内容物取り出し口部１２が形成されている。なお、本実施例では、本体箱部１９の下端部に内容物取り出し口部１２が形成されている。
【００１６】
また、本体箱部１０の上端部には、開口部１１を遮蔽可能な紙製の蓋箱部２０が、本体箱部１０に対して軸２１を中心として回動自在に軸支されている。
【００１７】
ここで、蓋箱部２０は、直方体箱形状で内部にポケットティッシュ収容空間Ｓ２を有している。蓋箱部２０の上面部には、ポケットティッシュ収容空間Ｓ２内に収容されたポケットティッシュ袋ＰからティッシュＴを取り出すためのティッシュ取り出し口部２２が形成されている。
【００１８】
また、図２に示すように、蓋箱部２０に形成された軸２１から最も遠い側面には、ポケットティッシュ収容空間Ｓ２にポケットティッシュ袋Ｐを挿入するためのポケットティッシュ袋挿入口部２３が形成されている。
【００１９】
さらに、蓋箱部２０のポケットティッシュ袋挿入口部２３の上端部からは、平板形状の突出片部２５が突き出され、突出片部２５の一部が切り込まれて板片状の係止爪部２６が形成されている。そして、係止爪部２６が本体箱部１０に形成された係止孔部１６に差し込まれることで、蓋箱部２０が本体箱部１０の開口部１１を遮蔽した状態で係止される。
【００２０】
次に、上述の容器１の使用態様を説明する。
図３に示すように、蓋箱部２０のポケットティッシュ収容空間Ｓ２にポケットティッシュ袋Ｐを収容してティッシュ取り出し口部２２からポケットティッシュ袋Ｐ内のティッシュＴの一部を露出させる。そうすると、通常のボックスティッシュと同様の感覚で使用することができる。この場合、本体箱部１０の横断面面積が通常のボックスティッシュよりも小さくなるので、省スペース化を実現できる。
【００２１】
また、図３に示すように、開口部１１からポケットティッシュ袋Ｐを投入し、内容物収容空間Ｓ１内にポケットティッシュ袋Ｐを積層状に複数収容することができる。
【００２２】
また、ポケットティッシュ袋Ｐの補充が必要となった際には、内容物収容空間Ｓ１内に積層状に収容されたポケットティッシュ袋Ｐのうち、一番下にあるものを内容物取り出し口部１２から取り出せばよい。
【００２３】
上記実施例において、各部の寸法形状は適宜自由に選択可能である。
例えば、本体箱部１０や蓋箱部２０は、所定形状に成形した紙製シートを適宜折り曲げ、接着することで構成することができる。
また、例えば本体箱部１０の横断面形状を四角形以外の多角形状として、内容物収容空間Ｓ１にポケットティッシュ袋Ｐ以外の物品を収容してもよい。また、横断面形状は、多角形以外でもよい。なお、他の物品としては例えば菓子袋、おもちゃ、それらが入ったカプセル等が提案されうる。
また例えば、内容物収容空間Ｓ１に収容される物品に応じて開口部１１や内容物取り出し口部１２の形状を変えてもよい。
さらに、例えば本体箱部１０の一部を透明なプラスチック製にして、内容物が外部から視認できるように構成としても構わない。
また、容器１を壁等に引っ掛けて使用できるよう、フックや係止孔、マグネット等が別途備えられている構成も考えられる。
また、容器１は、例えば内容物収容空間Ｓ１におもちゃを入れた容器として販売し、おもちゃを取り出した後はポケットティッシュ袋Ｐを収容する容器として二次使用も可能である。
【符号の説明】
【００２４】
１            容器
１０          本体箱部
１１          開口部
１２          内容物取り出し口部
２０          蓋箱部
２２          ティッシュ取り出し口部
Ｐ            ポケットティッシュ袋
Ｓ１          内容物収容空間
Ｓ２          ポケットティッシュ収容空間
Ｔ            ティッシュ
【図１】
0003223599.tif 000003
【図２】
0003223599.tif 000004
【図３】
0003223599.tif 000005